(57)【特許請求の範囲】
【請求項１】
充電器と、
前記充電器を収容する筐体と、
前記筐体が搭載される搭載部に前記筐体を取り付ける固定部と、
を備え、
前記固定部は、
第１面に前記筐体の底部が固定され、かつ前記第１面とは逆側の面である第２面が前記搭載部の上方を覆う第１固定部材と、
前記第１固定部材に繋がり、かつ前記筐体とは逆側に向かって延伸しており、前記第１固定部材とは異なる方向から前記搭載部を覆う第２固定部材と、
前記搭載部を介して前記第１固定部材に対向し、前記第２固定部材に固定される第３固定部材と、
前記搭載部を介して前記第２固定部材に対向し、前記第１固定部材及び前記第３固定部材に固定される第４固定部材と、
を有する充電装置。
【請求項２】
請求項１に記載の充電装置において、
前記充電器に接続している充電ガンを保持し、前記筐体のうち前記筐体の底面及び上面の間に設けられた保持部を備え、
前記保持部の位置は、前記筐体の底面及び上面の一方から他方に向かう方向において調整可能である充電装置。
【請求項３】
請求項１又は２に記載の充電装置において、
前記搭載部は、前記筐体の下方において延伸するＨ鋼であり、
前記第１固定部材は、前記Ｈ鋼の２つのフランジに跨って設けられ、
前記第２固定部材は、前記Ｈ鋼の一方のフランジを覆い、
前記第３固定部材は、前記搭載部を介して前記第１固定部材の反対側に位置し、かつ前記Ｈ鋼の２つのフランジに跨って設けられ、
前記第４固定部材は、前記搭載部を介して前記第２固定部材の反対側に位置し、かつ前記Ｈ鋼の他方のフランジを覆う充電装置。
【請求項４】
請求項１〜３のいずれか一項に記載の充電装置において、
前記第１固定部材のうち前記第２固定部材の反対側の端部は、前記第４固定部材に沿って前記第３固定部材から離れる方向に突出している第１突出部を有し、
前記第３固定部材のうち前記第４固定部材の反対側の端部は、前記第２固定部材に沿って前記第１固定部材から離れる方向に突出している第２突出部を有し、
前記第１突出部は、前記第４固定部材に取り付けられており、
前記第２突出部は、前記第２固定部材に取り付けられている充電装置。
【請求項５】
充電器を収容する筐体と、
前記筐体が搭載される搭載部に前記筐体を取り付ける固定部と、
を備え、
前記固定部は、
第１面に前記筐体の底部が固定され、かつ前記第１面とは逆側の面である第２面が前記搭載部の上方を覆う第１固定部材と、
前記第１固定部材に繋がり、かつ前記筐体とは逆側に向かって延伸しており、前記第１固定部材とは異なる方向から前記搭載部を覆う第２固定部材と、
前記搭載部を介して前記第１固定部材に対向し、前記第２固定部材に固定される第３固定部材と、
前記搭載部を介して前記第２固定部材に対向し、前記第１固定部材及び前記第３固定部材に固定される第４固定部材と、
を有する収容装置。
【請求項６】
充電器と、
前記充電器を収容する筐体と、
前記筐体が搭載された搭載部と、
前記搭載部に前記筐体を取り付ける固定部と、
を備え、
前記固定部は、
第１面に前記筐体の底部が固定され、かつ前記第１面とは逆側の面である第２面が前記搭載部の上方を覆う第１固定部材と、
前記第１固定部材に繋がり、かつ前記筐体とは逆側に向かって延伸しており、前記第１固定部材とは異なる方向から前記搭載部を覆う第２固定部材と、
前記搭載部を介して前記第１固定部材に対向し、前記第２固定部材に固定される第３固定部材と、
前記搭載部を介して前記第２固定部材に対向し、前記第１固定部材及び前記第３固定部材に固定される第４固定部材と、
を有する充電スタンド。
【請求項７】
充電器、及び前記充電器を収容する筐体を備える充電装置を準備し、
前記筐体の底部を第１固定部材の第１面に固定し、前記第１固定部材のうち前記第１面とは逆側の面である第２面で搭載部の上方を覆い、
前記第１固定部材に繋がり、かつ前記筐体とは逆側に向かって延伸する第２固定部材で、前記第１固定部材とは異なる方向から前記搭載部を覆い、
前記搭載部を介して前記第１固定部材に第３固定部材を対向させ、前記第３固定部材を前記第２固定部材に固定し、
前記搭載部を介して前記第２固定部材に第４固定部材を対向させ、前記第４固定部材を前記第１固定部材及び前記第３固定部材に固定する、充電装置の取付方法。
【請求項８】
充電器と、
第１面、前記第１面とは逆側を向いている第２面、及び前記第１面と前記第２面を繋ぐ底面を有しており、前記充電器を収容する筐体と、
前記筐体の前記底面のうち前記第２面から離れて位置する領域から前記筐体とは逆側に突出する凸部と、
を備え、
前記筐体の前記底面は、前記筐体の前記第２面側に位置する壁に設けられた搭載部を上方から覆い、
前記凸部は、前記搭載部を側方から覆い、かつ前記搭載部に固定されている充電装置。
【請求項９】
請求項８に記載の充電装置において、
前記充電器に接続している充電ガンを保持し、前記筐体のうち前記筐体の底面及び上面の間に設けられた保持部を備え、
前記保持部の位置は、前記筐体の底面及び上面の一方から他方に向かう方向において調整可能である充電装置。
【請求項１０】
請求項８又は９に記載の充電装置において、
前記壁は、
前方を向いている第３面と、
前記第３面の上端に繋がり、上方を向いている第４面と、
を有し、
前記搭載部は、前記第３面及び前記第４面である充電装置。
【請求項１１】
請求項８又は９に記載の充電装置において、
前記搭載部は、前記壁から突出し、かつ前記壁に対して着脱可能である充電装置。
【請求項１２】
請求項８又は９に記載の充電装置において、
前記壁は、
前方を向いている第３面と、
前記第３面の上端に繋がり、上方を向いている第４面と、
を有し、
前記搭載部は、
一端が前記第３面に固定され、
前記一端から上方に向かって延伸し、
他端が前記第３面と前記第４面の交わる角よりも高い位置に達している充電装置。
【請求項１３】
第１面、前記第１面とは逆側を向いている第２面、及び前記第１面と前記第２面を繋ぐ底面を有しており、充電器を収容する筐体と、
前記筐体の前記底面のうち前記第２面から離れて位置する領域から前記筐体とは逆側に突出する凸部と、
を備え、
前記筐体の前記底面は、前記筐体の前記第２面側に位置する壁に設けられた搭載部を上方から覆い、
前記凸部は、前記搭載部を側方から覆い、かつ前記搭載部に固定されている収容装置。
【請求項１４】
充電器と、
第１面、前記第１面とは逆側を向いている第２面、及び前記第１面と前記第２面を繋ぐ底面を有しており、前記充電器を収容する筐体と、
前記筐体の前記底面のうち前記第２面から離れて位置する領域から前記筐体とは逆側に突出する凸部と、
前記筐体の前記第２面側に位置する壁と、
前記壁に設けられた搭載部と、
を備え、
前記筐体の前記底面は、前記搭載部を上方から覆い、
前記凸部は、前記搭載部を側方から覆い、かつ前記搭載部に固定されている充電スタンド。
【請求項１５】
充電器と、
第１面、前記第１面とは逆側を向いている第２面、及び前記第１面と前記第２面を繋ぐ底面を有しており、前記充電器を収容する筐体と、
前記筐体の前記底面のうち前記第２面から離れて位置する領域から前記筐体とは逆側に突出する凸部と、
を備える充電装置を準備し、
前記筐体の前記第２面側に位置する壁に設けられた搭載部を前記筐体の前記底面で上方から覆い、
前記搭載部を前記凸部で側方から覆い、かつ前記凸部を前記搭載部に固定する、充電装置の取付方法。
【発明の詳細な説明】
【技術分野】
【０００１】
本発明は、充電装置、収容装置、充電スタンド、及び充電装置の取付方法に関する。
【背景技術】
【０００２】
現在、電気自動車が開発されている。電気自動車を普及させるためには、電気自動車のための充電スタンドを多くの場所に設置する必要がある。そして充電スタンドを既存の施設に設置するためには、充電装置を既存の壁又は床に取り付ける必要がある。特許文献１には、充電装置の一例が記載されている。この充電装置では、充電器を収容する筐体の下方に充電ケーブルが保持されている。具体的には、筐体の底面から下方に向かって第１凸部が突出し、第１凸部の側面から筐体の前面側に向かって第２凸部が突出している。充電ケーブルは、第２凸部に巻き付けられている。これにより、充電ケーブルは、筐体の下方に保持されている。
【先行技術文献】
【特許文献】
【０００３】
【特許文献１】特開２０１１−５０１２５号公報
【発明の概要】
【発明が解決しようとする課題】
【０００４】
充電スタンドでは、充電装置が例えば壁又は床に取り付けられる。本発明者は、充電装置を設置するための新規な構造を検討した。
【０００５】
本発明の目的は、充電スタンドにおいて、新規な構造で、充電装置を設置することにある。
【課題を解決するための手段】
【０００６】
本発明によれば、
充電器と、
前記充電器を収容する筐体と、
前記筐体が搭載される搭載部に前記筐体を取り付ける固定部と、
を備え、
前記固定部は、
第１面に前記筐体の底部が固定され、かつ前記第１面とは逆側の面である第２面が前記搭載部の上方を覆う第１固定部材と、
前記第１固定部材に繋がり、かつ前記筐体とは逆側に向かって延伸しており、前記第１固定部材とは異なる方向から前記搭載部を覆う第２固定部材と、
前記搭載部を介して前記第１固定部材に対向し、前記第２固定部材に固定される第３固定部材と、
前記搭載部を介して前記第２固定部材に対向し、前記第１固定部材及び前記第３固定部材に固定される第４固定部材と、
を有する充電装置が提供される。
【０００７】
本発明によれば、
充電器を収容する筐体と、
前記筐体が搭載される搭載部に前記筐体を取り付ける固定部と、
を備え、
前記固定部は、
第１面に前記筐体の底部が固定され、かつ前記第１面とは逆側の面である第２面が前記搭載部の上方を覆う第１固定部材と、
前記第１固定部材に繋がり、かつ前記筐体とは逆側に向かって延伸しており、前記第１固定部材とは異なる方向から前記搭載部を覆う第２固定部材と、
前記搭載部を介して前記第１固定部材に対向し、前記第２固定部材に固定される第３固定部材と、
前記搭載部を介して前記第２固定部材に対向し、前記第１固定部材及び前記第３固定部材に固定される第４固定部材と、
を有する収容装置が提供される。
【０００８】
本発明によれば、
充電器と、
前記充電器を収容する筐体と、
前記筐体が搭載された搭載部と、
前記搭載部に前記筐体を取り付ける固定部と、
を備え、
前記固定部は、
第１面に前記筐体の底部が固定され、かつ前記第１面とは逆側の面である第２面が前記搭載部の上方を覆う第１固定部材と、
前記第１固定部材に繋がり、かつ前記筐体とは逆側に向かって延伸しており、前記第１固定部材とは異なる方向から前記搭載部を覆う第２固定部材と、
前記搭載部を介して前記第１固定部材に対向し、前記第２固定部材に固定される第３固定部材と、
前記搭載部を介して前記第２固定部材に対向し、前記第１固定部材及び前記第３固定部材に固定される第４固定部材と、
を有する充電スタンドが提供される。
【０００９】
本発明によれば、
充電器、及び前記充電器を収容する筐体を備える充電装置を準備し、
前記筐体の底部を第１固定部材の第１面に固定し、前記第１固定部材のうち前記第１面とは逆側の面である第２面で搭載部の上方を覆い、
前記第１固定部材に繋がり、かつ前記筐体とは逆側に向かって延伸する第２固定部材で、前記第１固定部材とは異なる方向から前記搭載部を覆い、
前記搭載部を介して前記第１固定部材に第３固定部材を対向させ、前記第３固定部材を前記第２固定部材に固定し、
前記搭載部を介して前記第２固定部材に第４固定部材を対向させ、前記第４固定部材を前記第１固定部材及び前記第３固定部材に固定する、充電装置の取付方法が提供される。
【００１０】
本発明によれば、
充電器と、
第１面、前記第１面とは逆側を向いている第２面、及び前記第１面と前記第２面を繋ぐ底面を有しており、前記充電器を収容する筐体と、
前記筐体の前記底面のうち前記第２面から離れて位置する領域から前記筐体とは逆側に突出する凸部と、
を備え、
前記筐体の前記底面は、前記筐体の前記第２面側に位置する壁に設けられた搭載部を上方から覆い、
前記凸部は、前記搭載部を側方から覆い、かつ前記搭載部に固定されている充電装置が提供される。
【００１１】
本発明によれば、
第１面、前記第１面とは逆側を向いている第２面、及び前記第１面と前記第２面を繋ぐ底面を有しており、充電器を収容する筐体と、
前記筐体の前記底面のうち前記第２面から離れて位置する領域から前記筐体とは逆側に突出する凸部と、
を備え、
前記筐体の前記底面は、前記筐体の前記第２面側に位置する壁に設けられた搭載部を上方から覆い、
前記凸部は、前記搭載部を側方から覆い、かつ前記搭載部に固定されている収容装置が提供される。
【００１２】
本発明によれば、
充電器と、
第１面、前記第１面とは逆側を向いている第２面、及び前記第１面と前記第２面を繋ぐ底面を有しており、前記充電器を収容する筐体と、
前記筐体の前記底面のうち前記第２面から離れて位置する領域から前記筐体とは逆側に突出する凸部と、
前記筐体の前記第２面側に位置する壁と、
前記壁に設けられた搭載部と、
を備え、
前記筐体の前記底面は、前記搭載部を上方から覆い、
前記凸部は、前記搭載部を側方から覆い、かつ前記搭載部に固定されている充電スタンドが提供される。
【００１３】
本発明によれば、
充電器と、
第１面、前記第１面とは逆側を向いている第２面、及び前記第１面と前記第２面を繋ぐ底面を有しており、前記充電器を収容する筐体と、
前記筐体の前記底面のうち前記第２面から離れて位置する領域から前記筐体とは逆側に突出する凸部と、
を備える充電装置を準備し、
前記筐体の前記第２面側に位置する壁に設けられた搭載部を前記筐体の前記底面で上方から覆い、
前記搭載部を前記凸部で側方から覆い、かつ前記凸部を前記搭載部に固定する、充電装置の取付方法が提供される。
【発明の効果】
【００１４】
本発明によれば、充電スタンドにおいて、新規な構造で、充電装置を設置することができる。
【図面の簡単な説明】
【００１５】
【図１】第１の実施形態に係る充電スタンドの構成を示す斜視図である。
【図２】図１に示した充電スタンドの分解斜視図である。
【図３】図１に示した充電スタンドを前方から見た図である。
【図４】図１に示した充電スタンドを上方から見た図である。
【図５】図１に示した充電スタンドを側方から見た図である。
【図６】第１固定部及び第２固定部を搭載部に取り付ける方法を説明するための図である。
【図７】図１に示した充電装置を後方から見た図である。
【図８】図１に示した充電スタンドの使用方法の一例を示す図である。
【図９】第２の実施形態に係る充電スタンドの構成を示す斜視図である。
【図１０】図９に示した充電スタンドの分解斜視図である。
【図１１】図９に示した充電スタンドを前方から見た図である。
【図１２】図９に示した充電スタンドを上方から見た図である。
【図１３】図９に示した充電スタンドを側方から見た図である。
【図１４】図９に示した充電装置を後方から見た図である。
【図１５】図９に示した充電スタンドの使用方法の一例を示す図である。
【図１６】変形例１に係る充電スタンドを前方から見た図である。
【図１７】変形例１に係る充電スタンドを上方から見た図である。
【図１８】変形例１に係る充電スタンドを側方から見た図である。
【図１９】変形例２に係る充電スタンドを前方から見た図である。
【図２０】変形例２に係る充電スタンドを上方から見た図である。
【図２１】変形例２に係る充電スタンドを側方から見た図である。
【図２２】変形例３に係る充電スタンドを前方から見た図である。
【図２３】変形例３に係る充電スタンドを上方から見た図である。
【図２４】変形例３に係る充電スタンドを側方から見た図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
（第１の実施形態）
図１は、第１の実施形態に係る充電スタンドの構成を示す斜視図である。図２は、図１に示した充電スタンドの分解斜視図である。図３は、図１に示した充電スタンドを前方から見た図である。図４は、図１に示した充電スタンドを上方から見た図である。図５は、図１に示した充電スタンドを側方から見た図である。
【００１８】
充電スタンドは、充電装置１０及び搭載部３００を備える。充電装置１０は、充電器１００、筐体２００、及び固定部（第１固定部４０２及び第２固定部４０４）を備える。筐体２００は、充電器１００を収容する。搭載部３００には、筐体２００が搭載される。第１固定部４０２及び第２固定部４０４は、搭載部３００に筐体２００を取り付ける。第１固定部４０２は、第１固定部材４１０及び第２固定部材４２０を有する。第２固定部４０４は、第３固定部材４３０及び第４固定部材４４０を有する。第１固定部材４１０の第１面には、筐体２００の底部が固定される。第１固定部材４１０の第２面（裏面：第１面とは逆側の面）は、搭載部３００の上方を覆う。第２固定部材４２０は、第１固定部材４１０に繋がっている。第２固定部材４２０は、筐体２００とは逆側に向かって延伸している。第２固定部材４２０は、第１固定部材４１０とは異なる方向から筐体２００を覆う。第３固定部材４３０は、筐体２００を介して第１固定部材４１０に対向する。第３固定部材４３０は、第２固定部材４２０に固定される。第４固定部材４４０は、筐体２００を介して第２固定部材４２０に対向する。第４固定部材４４０は、第１固定部材４１０及び第３固定部材４３０に固定される。以下、詳細に説明する。
【００１９】
なお、筐体２００及び固定部（第１固定部４０２及び第２固定部４０４）は、充電器１００を収容するための収容装置を構成している。例えば、この収容装置を搭載部３００に設けた後に、充電器１００をこの収容装置（筐体２００）に収容してもよい。
【００２０】
充電器１００は、配線（不図示）を介して電源（不図示）に電気的に接続している。配線は、例えば、筐体２００の背面から筐体２００の内側の空間に入り込み、充電器１００に接続している。電源は、例えば商用電源であり、より具体的には例えば、単相１００Ｖ、単相２００Ｖ、又は３相２００Ｖである。
【００２１】
充電器１００の前面は、制御盤１０２を有する。充電装置１０の管理者又はユーザは、制御盤１０２を用いることにより、充電器１００を制御することができる。
【００２２】
筐体２００は、台座２１０、収容部２２０、及びカバー２３０を備える。台座２１０、収容部２２０、及びカバー２３０は、例えば板金を用いて形成されている。本図に示す例において、台座２１０と収容部２２０は、一体として形成されている。詳細には、台座２１０は、上方を向いた開口を有する。収容部２２０は、筐体２００の前方を向いた開口を有する。台座２１０の開口と収容部２２０の開口は互いに繋がっている。充電器１００は、収容部２２０の内部の空間に収容される。カバー２３０は、充電器１００を覆うように収容部２２０に取り付けられている。このようにして、充電器１００は、筐体２００に収容されている。
【００２３】
カバー２３０は、爪部２３２を用いて収容部２２０に取り付けられている。詳細には、カバー２３０のうち筐体２００の高さ方向に沿って延伸する両側部それぞれの縁は、複数の爪部２３２を有する。収容部２２０のうち筐体２００の高さ方向に沿って延伸する両側部それぞれの縁は、複数の凹部２２２を有する。爪部２３２は、凹部２２２にはめ込まれる。このようにして、カバー２３０は、収容部２２０に取り付けられている。
【００２４】
カバー２３０は、カバー２３０の外側から充電器１００を見るための窓２３４を有している。窓２３４は、カバー２３０を貫通する穴を用いて形成されている。窓２３４には、透明なフィルムを設けてもよい。充電装置１０の前面から見た場合、窓２３４を介して制御盤１０２の一部が見える。制御盤１０２のこの一部には、例えば、充電器１００がＯＮ状態及びＯＦＦ状態のいずれにあるかを示す電源ＯＮ／ＯＦＦ状態、充電ガン１２０（後述）が自動車に接続されているか否かを示す充電ガン接続状態、又は自動車の充電が実施されているか若しくは休止されているかをそれぞれ示す充電状態若しくは休止状態が表示されている。
【００２５】
充電装置１０の前方から見た場合、カバー２３０のうち台座２１０に隣接する一辺は、切欠部２３６を有する。カバー２３０が収容部２２０に取り付けられた場合、充電ケーブル１１０は切欠部２３６を通過する。この場合、充電ケーブル１１０の一端は、充電器１００に差し込まれる。そして充電ケーブル１１０の他端には、充電ガン１２０が接続する。
【００２６】
筐体２００の側面には、保持部２４０が設けられている。保持部２４０は、充電ガン１２０を保持するために設けられている。具体的には、保持部２４０は、筐体２００の前方を向いた開口を有する。保持部２４０を充電ガン１２０に保持する場合、充電ガン１２０は、保持部２４０の上記した開口に差し込まれる。
【００２７】
保持部２４０は、取付部材２４２を介して筐体２００に取り付けられている。本図に示す例において、取付部材２４２は、一端が取付部材２４２の背面に取り付けられている。より詳細には、取付部材２４２は、保持部２４０の背面に沿って筐体２００の側面に向かって延伸し、その後折れ曲がって筐体２００の側面に沿って後方に向かって延伸し、その後折れ曲がって筐体２００の背面に沿って延伸する。取付部材２４２は、例えば、板金（例えば、ステンレス鋼板）を折り曲げることにより形成されていてもよいし、又は複数の板金（例えば、ステンレス鋼板）を溶接することにより形成されていてもよい。図７を用いて後述するように、取付部材２４２は、筐体２００の背面に固定されている。
【００２８】
台座２１０の底部は、２つの縁部２１２を有する。一方の縁部２１２は、筐体２００の前方に突出している。他方の縁部２１２は筐体２００の後方に突出している。２つの縁部２１２それぞれには、複数の留具２１４（例えば、ねじ又はボルト）が設けられている。本図に示す例において、留具２１４は、縁部２１２に形成された穴を貫通し、第１固定部材４１０に形成された穴に差し込まれている。これにより、台座２１０（筐体２００）は、第１固定部材４１０に対して着脱可能になっている。
【００２９】
筐体２００の背面と第１固定部材４１０の表面とのなす角には、支持部材２５０が設けられている。これにより、筐体２００が後方に倒れることを抑制することができる。詳細には、支持部材２５０は、ベース２５２及び縁部２５４，２５６を有する。本図に示す例において、ベース２５２は、板金（例えば、ステンレス鋼板）の両端を筐体２００の背面に向けて折り曲げることにより形成されている。縁部２５４は、ベース２５２のうち筐体２００の背面に隣接する縁から突出している。縁部２５６は、ベース２５２のうち第１固定部材４１０の表面に隣接する縁から突出している。縁部２５４，２５６それぞれには、留具２５８（例えば、ねじ又はボルト）が設けられている。本図に示す例において、縁部２５４に設けられた留具２５８は、縁部２５４に形成された穴を貫通し、筐体２００の背面に形成された穴に差し込まれている。縁部２５６に設けられた留具２５８は、縁部２５６に形成された穴を貫通し、第１固定部材４１０に形成された穴に差し込まれている。これにより、支持部材２５０は、筐体２００の背面及び第１固定部材４１０の表面に対して着脱可能になっている。
【００３０】
筐体２００の背面には、保持部材２６０が設けられている。保持部材２６０は、筐体２００の背面上を筐体２００の高さ方向に沿って延伸するパイプ（不図示）を覆い、かつ保持するために設けられている。詳細には、保持部材２６０は、ベース２６２及び縁部２６４を有する。本図に示す例において、ベース２６２は、板金（例えば、ステンレス鋼板）の両端を筐体２００の背面に向けて折り曲げることにより形成されている。縁部２６４は、ベース２６２のうち筐体２００の背面に隣接する縁から突出している。縁部２６４には、留具２６６（例えば、ねじ又はボルト）が設けられている。本図に示す例において、留具２６６は、縁部２６４に形成された穴を貫通し、筐体２００の背面に形成された穴に差し込まれている。これにより、保持部材２６０は、筐体２００の背面に対して着脱可能になっている。
【００３１】
図６は、第１固定部４０２及び第２固定部４０４を搭載部３００に取り付ける方法を説明するための図である。本図は、搭載部３００を第１方向（搭載部３００の延伸方向）から見た図である。
【００３２】
本図に示す例において、搭載部３００は、Ｈ鋼である。詳細には、搭載部３００は、ウェブ３１０、第１フランジ３２０、及び第２フランジ３３０を有している。ウェブ３１０、第１フランジ３２０、及び第２フランジ３３０は、例えばステンレス鋼により形成されている。ウェブ３１０、第１フランジ３２０、及び第２フランジ３３０は、第１方向に延伸している。第１方向から見た場合、第１フランジ３２０は、ウェブ３１０の一方の側面に接続している。第１方向から見た場合、第１フランジ３２０の両側面は、ウェブ３１０を介して互いに逆側に位置している。第１方向から見た場合、第２フランジ３３０は、ウェブ３１０の他方の側面に接続している。第１方向から見た場合、第２フランジ３３０の両側面は、ウェブ３１０を介して互いに逆側に位置している。本図に示す例において、ウェブ３１０、第１フランジ３２０、及び第２フランジ３３０は、一体として形成されている。具体的には、第１フランジ３２０及び第２フランジ３３０は、例えば溶接により、ウェブ３１０に接続している。
【００３３】
本図に示す例において、第１固定部４０２及び第２固定部４０４は、第１方向から見た場合に搭載部３００を囲むように互いに取り付けられる。詳細には、本図に示す例において、第１固定部材４１０は、第１フランジ３２０と第２フランジ３３０に跨って設けられる。第２固定部材４２０は、第１固定部材４１０の一端から突出しており、第１フランジ３２０を覆っている。詳細を後述するように、第１固定部材４１０の他端は、第４固定部材４４０に取り付けられている。第３固定部材４３０は、搭載部３００を介して第１固定部材４１０の反対側に位置し、第１フランジ３２０と第２フランジ３３０に跨って設けられる。第４固定部材４４０は、第３固定部材４３０の一端から突出しており、搭載部３００を介して第２固定部材４２０の反対側に位置し、第２フランジ３３０を覆っている。詳細を後述するように、第３固定部材４３０の他端は、第２固定部材４２０に取り付けられている。
【００３４】
本図に示す例において、第１固定部材４１０は、第１ベース４１２及び突出部４１４（第１突出部）を有する。第１ベース４１２は板状の形状を有する。第１ベース４１２の一端には第２固定部材４２０（第２ベース４２２）が接続している。第１固定部４０２は、第１ベース４１２から第２ベース４２２にかけて直角に折れ曲がっている。第１ベース４１２の他端には突出部４１４が接続している。突出部４１４は、第４ベース４４２に沿って第２ベース４２２とは反対方向に突出している。第３固定部材４３０は、第３ベース４３２及び突出部４３４（第２突出部）を有する。第３ベース４３２は板状の形状を有する。第３ベース４３２の一端には第４固定部材４４０（第４ベース４４２）が接続している。第２固定部４０４は、第３ベース４３２から第４ベース４４２にかけて直角に折れ曲がっている。第３ベース４３２の他端には突出部４３４が接続している。突出部４３４は、第２ベース４２２に沿って第４ベース４４２とは反対方向に突出している。
【００３５】
突出部４１４には、留具４１６（例えば、ねじ又はボルト）が設けられている。留具４１６は、突出部４１４を貫通し、第４ベース４４２に差し込まれている。突出部４３４には、留具４３６（例えば、ねじ又はボルト）が設けられている。留具４３６は、突出部４３４を貫通し、第２ベース４２２に差し込まれている。これにより、第１固定部４０２及び第２固定部４０４は、一方が他方に対して着脱可能になる。
【００３６】
なお、本図に示す例において、第１ベース４１２、突出部４１４、及び第２ベース４２２は、一体として形成されている。突出部４１４及び第２ベース４２２は、例えば溶接により、第１ベース４１２に接続している。他の例として、第１ベース４１２、突出部４１４、及び第２ベース４２２は、一つの板金（例えば、ステンレス鋼板）を折り曲げることにより形成されてもよい。同様にして、第３ベース４３２、突出部４３４、及び第４ベース４４２は、一体として形成されている。突出部４３４及び第４ベース４４２は、例えば溶接により、第３ベース４３２に接続している。他の例として、第３ベース４３２、突出部４３４、及び第４ベース４４２は、一つの板金（例えば、ステンレス鋼板）を折り曲げることにより形成されてもよい。
【００３７】
図７は、図１に示した充電装置１０を後方から見た図である。筐体２００の背面には、複数の穴２２４が形成されている。複数の穴２２４は、筐体２００の高さ方向に沿って一直線上に並んでいる。
【００３８】
本図に示す例では、複数の穴２２４を用いることにより、充電ガン１２０の保持部２４０の位置を、筐体２００の高さ方向において調整することができる。詳細には、図２に示したように、保持部２４０は、取付部材２４２を介して筐体２００に取り付けられている。筐体２００の背面において、取付部材２４２には、留具２４４（例えば、ねじ又はボルト）が設けられている。留具２４４は、取付部材２４２を貫通し、穴２２４に入り込んでいる。この場合、保持部２４０を筐体２００に固定するための穴２２４を選択することにより、保持部２４０の位置を調整することができる。これにより、充電ガン１２０の保持部２４０の位置を、充電スタンドのユーザにとって適当な位置にすることができる。さらに、本図に示す例では、取付部材２４２に複数の留具２４４が設けられている。このため、取付部材２４２を安定的に固定することができる。
【００３９】
なお、図５に示したように、取付部材２４２のうち筐体２００の側面を覆う部分には、穴が形成されている。そしてこの穴には、留具２４６が設けられている。留具２４６は、例えば、収容部２２０とカバー２３０の間の隙間に差し込まれている。これにより、取付部材２４２は、留具２４６により支持されることになる。
【００４０】
図８は、図１に示した充電スタンドの使用方法の一例を示す図である。本図に示す例において、充電スタンドは、自動車２０の駐車場に設けられている。具体的には、自動車２０は、自動車２０の後部が壁５００に対向する向きに駐車されている。搭載部３００は、自動車２０と壁５００の間を通過している。搭載部３００は、自動車２０が壁５００に衝突することを防止するために設けられている。搭載部３００は、具体的には、例えばＨ鋼である。充電装置１０は、第１固定部４０２及び第２固定部４０４を用いて、搭載部３００の上方に設けられている。このため、自動車２０の後方に充電装置１０を設けても、自動車２０と壁５００の間のスペースが狭くなることを防止することができる。
【００４１】
以上、本実施形態によれば、第１固定部４０２及び第２固定部４０４を用いることにより、充電装置１０（筐体２００）を搭載部３００の上方に設けることができる。これにより、搭載部３００の前方又は後方に充電装置１０（筐体２００）を設けなくてもよい。このため、搭載部３００の前方及び後方のスペースを確保することができる。
【００４２】
（第２の実施形態）
図９は、第２の実施形態に係る充電スタンドの構成を示す斜視図であり、第１の実施形態の図１に対応する。図１０は、図９に示した充電スタンドの分解斜視図であり、第１の実施形態の図２に対応する。図１１は、図９に示した充電スタンドを前方から見た図であり、第１の実施形態の図３に対応する。図１２は、図９に示した充電スタンドを上方から見た図であり、第１の実施形態の図４に対応する。図１３は、図９に示した充電スタンドを側方から見た図であり、第１の実施形態の図５に対応する。本実施形態に係る充電スタンドは、以下の点を除いて、第１の実施形態に係る充電スタンドと同様の構成である。
【００４３】
充電スタンドは、充電装置１０、壁５００、及び搭載部３００（面５１２及び面５１４）を備える。充電装置１０は、充電器１００、筐体２００、及び凸部２７０を備える。筐体２００は、充電器１００を収容している。凸部２７０は、筐体２００の底面から突出している。凸部２７０は、筐体２００の底面のうち筐体２００の背面（第２面）から離れて位置する領域から突出している。壁５００は、筐体２００の背面（第２面）側に位置している。搭載部３００は、壁５００に設けられている。筐体２００の底面は、搭載部３００を上方から覆っている。凸部２７０は、搭載部３００を側方から覆っている。凸部２７０は、搭載部３００に固定されている。以下、詳細に説明する。
【００４４】
なお、筐体２００及び凸部２７０は、充電器１００を収容するための収容装置を構成している。例えば、この収容装置を搭載部３００に設けた後に、充電器１００をこの収容装置（筐体２００）に収容してもよい。
【００４５】
本図に示す例において、壁５００は、第１壁５１０及び第２壁５２０を有する。第２壁５２０は、第１壁５１０の上に搭載されている。第１壁５１０は、高強度の部材を用いて形成されており、例えばコンクリート壁である。第２壁５２０は、第１壁５１０の部材よりも低い強度の部材を用いて形成されており、例えばブロック壁である。なお、第１壁５１０及び第２壁５２０は、同一の部材（例えば、コンクリート）を用いて一体として形成されていてもよい。
【００４６】
充電装置１０は、壁５００に形成された搭載部３００に搭載されている。詳細には、第１壁５１０は、第２壁５２０よりも前方に突出している。第１壁５１０は、前方を向いた面５１２（第３面）、及び上方を向いた面５１４（第４面）を有する。第２壁５２０は、前方を向いた面５２２を有する。面５１４は、第１壁５１０の面５１２の上端及び第２壁５２０の面５２２の下端を繋いでいる。そして面５１２及び面５１４は、搭載部３００となっている。
【００４７】
充電装置１０は、充電器１００及び筐体２００を備える。筐体２００は、筐体２００の背面（第２面）が第２壁５２０と対向する向きに搭載部３００に搭載されている。筐体２００は、充電器１００を収容している。第１の実施形態と同様にして、筐体２００は、台座２１０、収容部２２０、及びカバー２３０を有する。なお、本図に示す例において、充電ガン１２０の保持部２４０の開口は、筐体２００の側方を向いている。これにより、充電ガン１２０が保持部２４０に保持される場合、充電ガン１２０の先端は、筐体２００の側面に向かって保持部２４０の開口に差し込まれる。この場合、壁５００から離れる方向において、充電ケーブル１１０及び充電ガン１２０が占める長さを短くすることができる。
【００４８】
本図に示す例において、保持部２４０は、取付部材２４２を介して収容部２２０（筐体２００）に取り付けられている。詳細には、取付部材２４２は、保持部２４０の背面と筐体２００の側面の間を後方に向かって延伸し、その後折れ曲がって筐体２００（収容部２２０）の背面に沿って延伸する。取付部材２４２は、例えば、板金（例えば、ステンレス鋼板）を折り曲げることにより形成されていてもよいし、又は複数の板金（例えば、ステンレス鋼板）を溶接することにより形成されていてもよい。図１４を用いて後述するように、取付部材２４２は、筐体２００の背面に固定されている。
【００４９】
筐体２００の底面には、凸部２７０が形成されている。凸部２７０は、筐体２００の背面（第２面）から離れた領域から突出している。本図に示す例において、凸部２７０は、筐体２００と一体として形成されている。より詳細には、凸部２７０は、幅が筐体２００の幅と同一である板状部材である。凸部２７０のうち筐体２００の前方を向いている面は、筐体２００の前面と同一面を形成している。筐体２００の前方から見た場合、凸部２７０の両側方それぞれには、縁部２７２が設けられている。縁部２７２は、凸部２７０の側面に沿って延伸している。縁部２７２には、留具２７４（例えば、ねじ又はボルト）が設けられている。本図に示す例において、留具２７４は、縁部２７２に形成された穴を貫通し、第１壁５１０の面５１２に差し込まれている。これにより、筐体２００は、壁５００に取り付けられる。
【００５０】
なお、筐体２００の底面は、面５１４に接していてもよいし、又は面５１４から離れていてもよい。本図に示す例では、筐体２００の底面は面５１４から離れている。
【００５１】
図１４は、図９に示した充電装置１０を後方から見た図であり、第１の実施形態に図７に対応する。本図に示す例においても、複数の穴２２４を用いることにより、充電ガン１２０の保持部２４０の位置を、筐体２００の高さ方向において調整することができる。詳細には、図１０に示したように、保持部２４０は、取付部材２４２を介して筐体２００に取り付けられている。筐体２００の背面において、取付部材２４２には、留具２４４（例えば、ねじ又はボルト）が設けられている。留具２４４は、取付部材２４２を貫通し、穴２２４に入り込んでいる。この場合、保持部２４０を筐体２００に固定するための穴２２４を選択することにより、保持部２４０の位置を調整することができる。これにより、充電ガン１２０の保持部２４０の位置を、充電スタンドのユーザにとって適当な位置にすることができる。さらに、本図に示す例では、取付部材２４２に複数の留具２４４が設けられている。このため、取付部材２４２を安定的に固定することができる。
【００５２】
図１５は、図９に示した充電スタンドの使用方法の一例を示す図であり、第１の実施形態の図８に対応する。本図に示す例において、充電スタンドは、自動車２０の駐車場に設けられている。具体的には、自動車２０は、自動車２０の後部が壁５００に対向する向きに駐車されている。本図に示す例において、第１壁５１０の高さは、おおよそ１ｍである。筐体２００の底面は、搭載部３００（面５１４）を上方から覆っている。筐体２００の凸部２７０は、搭載部３００（面５１２）を側方から覆い、かつ搭載部３００（面５１２）に固定されている。このため、自動車２０の後方に充電装置１０を設けても、自動車２０と壁５００の間のスペースが狭くなることを防止することができる。
【００５３】
（変形例１）
図１６は、変形例１に係る充電スタンドを前方から見た図であり、第２の実施形態の図１１に対応する。図１７は、本変形例に係る充電スタンドを上方から見た図であり、第２の実施形態の図１２に対応する。図１８は、本変形例に係る充電スタンドを側方から見た図であり、第２の実施形態の図１３に対応する。本変形例に係る充電スタンドは、以下の点を除いて、第２の実施形態に係る充電スタンドと同様の構成である。
【００５４】
本図に示す例において、第１壁５１０の面５１２と第２壁５２０の面５２２は、同一面を形成している。言い換えると、第１壁５１０と第２壁５２０によって搭載部３００（例えば、図１０）が形成されておらず、壁５００の表面は平坦となっている。第１壁５１０及び第２壁５２０は、同一の部材（例えば、コンクリート）を用いて一体として形成されていてもよい。
【００５５】
第２壁５２０の面５２２には、搭載部３００が取り付けられている。搭載部３００は、壁５００から突出した凸部となっている。搭載部３００は、壁５００に対して着脱可能である。具体的には、筐体２００の前方から見た場合、搭載部３００の両側方それぞれには、縁部３０２が設けられている。縁部３０２は、搭載部３００の側面に沿って延伸している。縁部３０２には、留具３０４（例えば、ねじ又はボルト）が設けられている。留具３０４は、縁部３０２を貫通し、壁５００に差し込まれている。筐体２００の底面は、上方から搭載部３００を覆っている。凸部２７０は、側方から搭載部３００を覆っており、搭載部３００に取り付けられている。
【００５６】
本図に示す例によれば、壁５００の表面が平坦であっても、搭載部３００を介して筐体２００（充電装置１０）を壁５００に取り付けることができる。さらに、搭載部３００を壁５００に取り付ける位置を調整することで、筐体２００の位置を調整することができる。
【００５７】
（変形例２）
図１９は、変形例２に係る充電スタンドを前方から見た図であり、第２の実施形態の図１１に対応する。図２０は、本変形例に係る充電スタンドを上方から見た図であり、第２の実施形態の図１２に対応する。図２１は、本変形例に係る充電スタンドを側方から見た図であり、第２の実施形態の図１３に対応する。本変形例に係る充電スタンドは、以下の点を除いて、第２の実施形態に係る充電スタンドと同様の構成である。
【００５８】
本図に示す例において、筐体２００の底面と第１壁５１０の面５１４の間には、調整部材３４０が設けられている。筐体２００の高さ方向において、調整部材３４０の長さは、筐体２００の底面と第１壁５１０の面５１４の間の距離と等しく、又は筐体２００の底面と第１壁５１０の面５１４の間の距離よりもやや低い。
【００５９】
なお、本図に示す例において、調整部材３４０は、第１壁５１０の面５１４に対して着脱可能である。具体的には、筐体２００の上方から見た場合、調整部材３４０の両側方それぞれには、縁部３４２が設けられている。縁部３４２は、調整部材３４０の側面に沿って延伸している。縁部３４２には、留具３４４（例えば、ねじ又はボルト）が設けられている。留具３４４は、縁部３４２を貫通し、第１壁５１０に差し込まれている。
【００６０】
（変形例３）
図２２は、変形例３に係る充電スタンドを前方から見た図であり、第２の実施形態の図１１に対応する。図２３は、本変形例に係る充電スタンドを上方から見た図であり、第２の実施形態の図１２に対応する。図２４は、本変形例に係る充電スタンドを側方から見た図であり、第２の実施形態の図１３に対応する。本変形例に係る充電スタンドは、以下の点を除いて、第２の実施形態に係る充電スタンドと同様の構成である。
【００６１】
本図に示す例において、第１壁５１０は、第２壁５２０よりも前方に突出している。第１壁５１０は、前方を向いた面５１２（第３面）、及び上方を向いた面５１４（第４面）を有する。第２壁５２０は、前方を向いた面５２２を有する。面５１４は、面５１２及び面５２２を繋いでいる。これにより、面５１２及び面５１４は、搭載部３００となっている。
【００６２】
第１壁５１０の面５１２には、搭載部３００の一端が取り付けられている。搭載部３００は、上記した一端から上方に向かって延伸している。搭載部３００の他端は、面５１２と面５１４が交わる角よりも高い位置に達している。筐体２００の底面は、上方から搭載部３００を覆っている。筐体２００の凸部２７０は、側方から搭載部３００を覆っており、搭載部３００に取り付けられている。これにより、上記した角よりも高い位置で筐体２００（充電装置１０）を保持することができる。さらに、本図に示す例によれば、凸部２７０を上記した角に直接取り付ける場合と比較して、第２壁５２０の面５２２から筐体２００の背面までの距離を大きくすることができる。この場合、第２壁５２０の面５２２と筐体２００の背面の間に適当な部材を設けることができ、例えば、第２壁５２０の面５２２と筐体２００の背面の間にパイプを通すことができる。
【００６３】
本図に示す例において、搭載部３００は、第１壁５１０の面５１２に対して着脱可能である。具体的には、筐体２００の前方から見た場合、搭載部３００の両側方それぞれには、縁部３０２が設けられている。縁部３０２は、搭載部３００の側面に沿って延伸している。縁部３０２は、第１壁５１０の面５１２を覆っている。縁部３０２には、留具３０４が設けられている。留具３０４は、縁部３０２を貫通し、面５１２に差し込まれている。このようにして、搭載部３００は、第１壁５１０の面５１２に取り付けられている。
【００６４】
本図に示す例において、搭載部３００は、一部が第１壁５１０の面５１４を覆っている。本図に示す例において、搭載部３００のこの一部は、面５１４に接している。これにより、搭載部３００を面５１２及び面５１４に安定して取り付けることができる。なお、搭載部３００の上記した一部は、面５１４から離間していてもよい。この場合においても、搭載部３００の上記した一部と第１壁５１０の面５１４の間の距離がある程度短いときは、搭載部３００を面５１２に安定して取り付けることができる。
【００６５】
なお、本図に示す例では、搭載部３００と面５２２の間に形成されるスペースの幅は、筐体２００の背面と面５２２の間に形成されるスペースの幅よりも広いものとなっている。これにより、搭載部３００と面５２２の間に適当な部材を設けることができ、例えば、搭載部３００と面５２２の間にパイプを通すことができる。
【００６６】
以上、図面を参照して本発明の実施形態について述べたが、これらは本発明の例示であり、上記以外の様々な構成を採用することもできる。
【符号の説明】
【００６７】
１０  充電装置
２０  自動車
１００  充電器
１０２  制御盤
１１０  充電ケーブル
１２０  充電ガン
２００  筐体
２１０  台座
２１２  縁部
２１４  留具
２２０  収容部
２２２  凹部
２２４  穴
２３０  カバー
２３２  爪部
２３４  窓
２３６  切欠部
２４０  保持部
２４２  取付部材
２４４  留具
２４６  留具
２５０  支持部材
２５２  ベース
２５４  縁部
２５６  縁部
２５８  留具
２６０  保持部材
２６２  ベース
２６４  縁部
２６６  留具
２７０  凸部
２７２  縁部
２７４  留具
３００  搭載部
３０２  縁部
３０４  留具
３１０  ウェブ
３２０  第１フランジ
３３０  第２フランジ
４０２  第１固定部
４０４  第２固定部
４１０  第１固定部材
４１２  第１ベース
４１４  突出部
４１６  留具
４２０  第２固定部材
４２２  第２ベース
４３０  第３固定部材
４３２  第３ベース
４３４  突出部
４３６  留具
４４０  第４固定部材
４４２  第４ベース
５００  壁
５１０  第１壁
５１２  面
５１４  面
５２０  第２壁
５２２  面
【図１】
0006570060.tif 000002
【図２】
0006570060.tif 000003
【図３】
0006570060.tif 000004
【図４】
0006570060.tif 000005
【図５】
0006570060.tif 000006
【図６】
0006570060.tif 000007
【図７】
0006570060.tif 000008
【図８】
0006570060.tif 000009
【図９】
0006570060.tif 000010
【図１０】
0006570060.tif 000011
【図１１】
0006570060.tif 000012
【図１２】
0006570060.tif 000013
【図１３】
0006570060.tif 000014
【図１４】
0006570060.tif 000015
【図１５】
0006570060.tif 000016
【図１６】
0006570060.tif 000017
【図１７】
0006570060.tif 000018
【図１８】
0006570060.tif 000019
【図１９】
0006570060.tif 000020
【図２０】
0006570060.tif 000021
【図２１】
0006570060.tif 000022
【図２２】
0006570060.tif 000023
【図２３】
0006570060.tif 000024
【図２４】
0006570060.tif 000025